【手続補正書】
【提出日】平成20年7月17日(2008.7.17)
【手続補正１】
【補正対象書類名】明細書
【補正対象項目名】発明の名称
【補正方法】変更
【補正の内容】
【発明の名称】画像処理装置及び画像処理装置の制御方法
【手続補正２】
【補正対象書類名】明細書
【補正対象項目名】特許請求の範囲
【補正方法】変更
【補正の内容】
【特許請求の範囲】
【請求項１】  テレビジョン信号を受信して表示部に番組画像を表示する画像処理装置であって、
前記表示部に所定のグラフィック画像を表示することを伴う割り込み情報を受信する受信手段と、
前記割り込み情報に基づく前記所定のグラフィック画像の表示の可否を設定する設定手段と、
テレビジョン信号を受信して表示部に番組画像を表示中に、前記受信手段で割り込み情報を受信した場合に、前記設定手段の設定に応じて、受信した割り込み情報に基づく前記所定のグラフィック画像を表示するか否かを判定する制御手段と、
を有することを特徴とする画像処理装置。
【請求項２】  前記設定手段は、前記表示部に表示中の番組が終了するまでの期間を、前記割り込み情報に基づく前記所定のグラフィック画像の表示を禁止する期間として設定することを特徴とする請求項１に記載の画像処理装置。
【請求項３】  前記設定手段は、ユーザの操作入力に応じて、予め定めた期間を、前記割り込み情報に基づく前記所定のグラフィック画像の表示を禁止する期間として設定することを特徴とする請求項１に記載の画像処理装置。
【請求項４】  前記受信手段で受信した割り込み情報を格納する格納手段を有し、
前記制御手段は、前記設定手段で設定された前記所定のグラフィック画像の表示を禁止する期間が経過した後に、前記格納手段に格納された割り込み情報を用いて、前記所定のグラフィック画像の表示を制御することを特徴とする請求項２又は３に記載の画像処理装置。
【請求項５】  前記受信手段が受信する割り込み情報には、割り込み情報のレベルを示す優先度情報が付加されており、
前記設定手段は、前記割り込み情報に基づく前記所定のグラフィック画像の表示の可否を、前記優先度情報に応じて切り替えるための設定値を設定可能であり、
前記制御手段は、前記受信手段で割り込み情報を受信した場合に、当該割り込み情報に付加された優先度情報と、前記設定手段で設定された前記設定値とを比較し、受信した割り込み情報に基づく前記所定のグラフィック画像を表示するか否かを判定することを特徴とする請求項１に記載の画像処理装置。
【請求項６】  テレビジョン信号を受信して表示部に番組画像を表示する画像処理装置の制御方法であって、
前記表示部に所定のグラフィック画像を表示することを伴う割り込み情報を受信する受信ステップと、
前記割り込み情報に基づく前記所定のグラフィック画像の表示の可否を設定する設定ステップと、
テレビジョン信号を受信して表示部に番組画像を表示中に、前記受信ステップで割り込み情報を受信した場合に、前記設定ステップでの設定に応じて、受信した割り込み情報に基づく前記所定のグラフィック画像を表示するか否かを判定する制御ステップと、
を有することを特徴とする画像処理装置の制御方法。
【請求項７】  前記設定ステップでは、前記表示部に表示中の番組が終了するまでの期間を、前記割り込み情報に基づく前記所定のグラフィック画像の表示を禁止する期間として設定することを特徴とする請求項６に記載の画像処理装置の制御方法。
【請求項８】  前記設定ステップでは、ユーザの操作入力に応じて、予め定めた期間を、前記割り込み情報に基づく前記所定のグラフィック画像の表示を禁止する期間として設定することを特徴とする請求項６に記載の画像処理装置の制御方法。
【請求項９】  前記受信ステップで受信した割り込み情報を格納部に格納する格納ステップを有し、
前記制御ステップでは、前記設定ステップで設定された前記所定のグラフィック画像の表示を禁止する期間が経過した後に、前記格納部に格納された割り込み情報を用いて、前記所定のグラフィック画像の表示を制御することを特徴とする請求項７又は８に記載の画像処理装置の制御方法。
【請求項１０】  前記受信ステップで受信する割り込み情報には、割り込み情報のレベルを示す優先度情報が付加されており、
前記設定ステップでは、前記割り込み情報に基づく前記所定のグラフィック画像の表示の可否を、前記優先度情報に応じて切り替えるための設定値を設定可能であり、
前記制御ステップでは、前記受信ステップで割り込み情報を受信した場合に、当該割り込み情報に付加された優先度情報と、前記設定ステップで設定された前記設定値とを比較し、受信した割り込み情報に基づく前記所定のグラフィック画像を表示するか否かを判定することを特徴とする請求項６に記載の画像処理装置の制御方法。
【手続補正３】
【補正対象書類名】明細書
【補正対象項目名】０００１
【補正方法】変更
【補正の内容】
【０００１】
【発明の属する技術分野】
本発明は、番組視聴時に割り込み情報に基づく所定のグラフィック画像の表示の抑制を行うための技術に関するものである。
【手続補正４】
【補正対象書類名】明細書
【補正対象項目名】０００６
【補正方法】変更
【補正の内容】
【０００６】
そこで、本発明の目的は、割り込み情報に基づく所定のグラフィック画像の表示の可否を設定することを可能とし、ユーザが番組視聴時に割り込み情報による外乱を受けたくないときにはその旨を設定することで、一切の外乱を受けることなく快適な番組視聴を享受できるようにすることにある。
【手続補正５】
【補正対象書類名】明細書
【補正対象項目名】０００７
【補正方法】変更
【補正の内容】
【０００７】
また、本発明の目的は、所定のグラフィック画像の表示を禁止する期間が経過した後に、格納手段に格納された割り込み情報を用いて、所定のグラフィック画像の表示を制御するようにすることで、ユーザは割り込み情報に基づく所定のグラフィック画像を漏らすことなく視聴できるようにすることにある。
【手続補正６】
【補正対象書類名】明細書
【補正対象項目名】０００８
【補正方法】変更
【補正の内容】
【０００８】
【課題を解決するための手段】
本発明の画像処理装置は、テレビジョン信号を受信して表示部に番組画像を表示する画像処理装置であって、前記表示部に所定のグラフィック画像を表示することを伴う割り込み情報を受信する受信手段と、前記割り込み情報に基づく前記所定のグラフィック画像の表示の可否を設定する設定手段と、テレビジョン信号を受信して表示部に番組画像を表示中に、前記受信手段で割り込み情報を受信した場合に、前記設定手段の設定に応じて、受信した割り込み情報に基づく前記所定のグラフィック画像を表示するか否かを判定する制御手段と、を有することを特徴とする。
本発明の画像処理装置の制御方法は、テレビジョン信号を受信して表示部に番組画像を表示する画像処理装置の制御方法であって、前記表示部に所定のグラフィック画像を表示することを伴う割り込み情報を受信する受信ステップと、前記割り込み情報に基づく前記所定のグラフィック画像の表示の可否を設定する設定ステップと、テレビジョン信号を受信して表示部に番組画像を表示中に、前記受信ステップで割り込み情報を受信した場合に、前記設定ステップでの設定に応じて、受信した割り込み情報に基づく前記所定のグラフィック画像を表示するか否かを判定する制御ステップと、を有することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００６６
【補正方法】変更
【補正の内容】
【００６６】
【発明の効果】
本発明によれば、割り込み情報に基づく所定のグラフィック画像の表示の可否を設定することが可能なため、ユーザが番組視聴時に割り込み情報による外乱を受けたくないときにはその旨を設定することにより、一切の外乱を受けることなく快適な番組視聴を享受することができる。
【手続補正３１】
【補正対象書類名】明細書
【補正対象項目名】００６７
【補正方法】変更
【補正の内容】
【００６７】
また、本発明によれば、所定のグラフィック画像の表示を禁止する期間が経過した後に、格納手段に格納された割り込み情報を用いて、所定のグラフィック画像の表示を制御することが可能なため、ユーザは割り込み情報に基づく所定のグラフィック画像を漏らすことなく視聴することができる。